【手続補正書】
【提出日】平成25年8月8日(2013.8.8)
【手続補正１】
【補正対象書類名】特許請求の範囲
【補正対象項目名】全文
【補正方法】変更
【補正の内容】
【特許請求の範囲】
【請求項１】
複数のアプリケーションが搭載された電子機器であって、
各アプリケーションについて、それぞれアプリケーション識別子が記録されたデータベースと、
前記アプリケーションのログをシステムログに変換するログ変換部と、
前記ログ変換部によって変換されたシステムログに、前記データベースに記録されている各アプリケーション識別子と関連付けられたログが含まれる場合、当該アプリケーション識別子のログに基づいて、対応するアプリケーションのステータスを管理するステータス管理部と、を備えることを特徴とする電子機器。
【請求項２】
前記ログ変換部は、前記アプリケーションの実行環境となるアプリケーションプラットフォームごとに設けられていることを特徴とする請求項１に記載の電子機器。
【請求項３】
前記データベースには、各アプリケーション識別子について、それぞれ対応する前記アプリケーションプラットフォームが記録されており、
前記ステータス管理部は、前記システムログの変換元となる前記ログ変換部が設けられた前記アプリケーションプラットフォームと、前記システムログに含まれる前記アプリケーション識別子に対応する前記アプリケーションプラットフォームと、の整合性を判断して、前記アプリケーションのステータスを管理することを特徴とする請求項２に記載の電子機器。
【請求項４】
前記ログ変換部で変換されたアプリケーションのシステムログと、電子機器内のハードウェアのシステムログと、を監視するシステムログ監視部をさらに備え、
前記ステータス管理部は、前記システムログ監視部の監視結果に基づいて、前記アプリケーションおよび前記ハードウェアのステータスを管理することを特徴とする請求項１ないし３のいずれか１項に記載の電子機器。
【請求項５】
前記ステータス管理部は、前記ハードウェアのステータスに応じて、前記アプリケーションのステータスを変更することを特徴とする請求項４に記載の電子機器。
【請求項６】
前記ステータス管理部は、前記ハードウェアのステータスに「異常」が含まれる場合、前記アプリケーションのステータスを「異常」とすることを特徴とする請求項５に記載の電子機器。
【請求項７】
前記ステータス管理部の管理結果に基づき、前記データベースに記録されている全てのアプリケーションのステータスを出力するステータス出力部をさらに備えることを特徴とする請求項１ないし６のいずれか１項に記載の電子機器。
【請求項８】
複数のアプリケーションが搭載されたプリンターであって、
各アプリケーションについて、それぞれアプリケーション識別子が記録されたデータベースと、
前記アプリケーションのログをシステムログに変換するログ変換部と、
前記ログ変換部によって変換されたシステムログに、前記データベースに記録されている各アプリケーション識別子と関連付けられたログが含まれる場合、当該アプリケーション識別子のログに基づいて、対応するアプリケーションのステータスを管理するステータス管理部と、
前記ステータス管理部の管理結果に基づき、前記データベースに記録されている全てのアプリケーションのステータスを印刷する印刷出力部と、
を備えることを特徴とするプリンター。
【請求項９】
前記ログ変換部は、前記アプリケーションの実行環境となるアプリケーションプラットフォームごとに設けられていることを特徴とする請求項８に記載のプリンター。
【請求項１０】
前記データベースには、各アプリケーション識別子について、それぞれ対応する前記アプリケーションプラットフォームが記録されており、
前記ステータス管理部は、前記システムログの変換元となる前記ログ変換部が設けられた前記アプリケーションプラットフォームと、前記システムログに含まれる前記アプリケーション識別子に対応する前記アプリケーションプラットフォームと、の整合性を判断して、前記アプリケーションのステータスを管理することを特徴とする請求項９に記載のプリンター。
【請求項１１】
前記ログ変換部で変換されたアプリケーションのシステムログと、プリンター内のハードウェアのシステムログと、を監視するシステムログ監視部をさらに備え、
前記ステータス管理部は、前記システムログ監視部の監視結果に基づいて、前記アプリケーションおよび前記ハードウェアのステータスを管理することを特徴とする請求項８ないし１０のいずれか１項に記載のプリンター。
【請求項１２】
前記ステータス管理部は、前記ハードウェアのステータスに応じて、前記アプリケーションのステータスを変更することを特徴とする請求項１１に記載のプリンター。
【請求項１３】
複数のアプリケーションが搭載された電子機器のステータス管理方法であって、
前記電子機器が、
各アプリケーションについて、それぞれアプリケーション識別子をデータベースに記録しておくステップと、
前記アプリケーションのログをシステムログに変換する変換ステップと、
前記システムログに、前記データベースに記録されている各アプリケーション識別子と関連付けられたログが含まれる場合、当該アプリケーション識別子のログに基づいて、対応するアプリケーションのステータスを管理する管理ステップと、を実行することを特徴とする電子機器のステータス管理方法。
【請求項１４】
前記変換ステップは、前記アプリケーションの実行環境となるアプリケーションプラットフォームごとに実行されることを特徴とする請求項１３に記載の電子機器のステータス管理方法。
【請求項１５】
前記データベースには、各アプリケーション識別子について、それぞれ対応する前記アプリケーションプラットフォームが記録されており、
前記管理ステップは、前記システムログの変換元となる前記変換ステップが実行される前記アプリケーションプラットフォームと、前記システムログに含まれる前記アプリケーション識別子に対応する前記アプリケーションプラットフォームと、の整合性を判断して、前記アプリケーションのステータスを管理することを特徴とする請求項１４に記載の電子機器のステータス管理方法。
【請求項１６】
前記変換ステップで変換されたアプリケーションのシステムログと、電子機器内のハードウェアのシステムログと、を監視する監視ステップをさらに備え、
前記管理ステップは、前記監視ステップの監視結果に基づいて、前記アプリケーションおよび前記ハードウェアのステータスを管理することを特徴とする請求項１３ないし１５のいずれか１項に記載の電子機器のステータス管理方法。
【請求項１７】
前記管理ステップは、前記ハードウェアのステータスに応じて、前記アプリケーションのステータスを変更することを特徴とする請求項１６に記載の電子機器のステータス管理方法。
【請求項１８】
コンピューターに、請求項１３ないし１７のいずれか１項に記載の電子機器のステータス管理方法における各ステップを実行させるためのプログラム。
【手続補正２】
【補正対象書類名】明細書
【補正対象項目名】０００７
【補正方法】変更
【補正の内容】
【０００７】
本発明の電子機器のステータス管理方法は、複数のアプリケーションが搭載された電子機器のステータス管理方法であって、電子機器が、各アプリケーションについて、それぞれアプリケーション識別子をデータベースに記録しておくステップと、アプリケーションのログをシステムログに変換する変換ステップと、システムログに、データベースに記録されている各アプリケーション識別子と関連付けられたログが含まれる場合、当該アプリケーション識別子のログに基づいて、対応するアプリケーションのステータスを管理する管理ステップと、を実行することを特徴とする。
【手続補正３】
【補正対象書類名】明細書
【補正対象項目名】００２０
【補正方法】変更
【補正の内容】
【００２０】
本発明のプリンターは、複数のアプリケーションが搭載されたプリンターであって、各アプリケーションについて、それぞれアプリケーション識別子が記録されたデータベースと、アプリケーションのログをシステムログに変換するログ変換部と、ログ変換部によって変換されたシステムログに、データベースに記録されている各アプリケーション識別子と関連付けられたログが含まれる場合、当該アプリケーション識別子のログに基づいて、対応するアプリケーションのステータスを管理するステータス管理部と、ステータス管理部の管理結果に基づき、データベースに記録されている全てのアプリケーションのステータスを印刷する印刷出力部と、を備えることを特徴とする。